(57)【要約】【課題】  画像形成装置のユーザインタフェースでユーザが確認できる情報量を多くすること。【解決手段】  情報を表示する表示器（２１）を有するユーザインタフェースを備えた画像形成装置（１）において、前記表示器（２１）をユーザが通常観察する方向を第１方向とし、前記第１方向とは異なる特定の方向を第２方向とした場合に、前記第１方向から前記表示器（２１）を見たユーザが視認可能な第１方向表示画像（３３）と、前記第２方向から前記表示器（２１）を見たユーザが視認可能な第２方向表示画像（３４）とを、前記表示器（２１）に表示する表示器制御手段を備えた画像形成装置。【選択図】    図３
2005161578.tif 000002
【特許請求の範囲】
【請求項１】
情報を表示する表示器を有するユーザインタフェースを備えた画像形成装置において、
前記表示器をユーザが通常観察する方向を第１方向とし、前記第１方向とは異なる特定の方向を第２方向とした場合に、前記第１方向から前記表示器を見たユーザが視認可能な第１方向表示画像と、前記第２方向から前記表示器を見たユーザが視認可能な第２方向表示画像とを、前記表示器に表示する表示器制御手段、
を備えたことを特徴とする前記画像形成装置。
【請求項２】
前記第１方向表示画像を表示する第１方向表示部と、前記第２方向表示画像を表示する第２方向表示部と、を有する前記表示器と、
前記第１方向表示画像を記憶する第１方向画像記憶手段と、前記第２方向表示画像を記憶する第２方向画像記憶手段とを有する表示画像記憶手段と、
を備えたことを特徴とする請求項１記載の画像形成装置。
【請求項３】
前記第１方向に対して前記画像形成装置の前方上方に傾斜した方向としての前記第２方向と、
前記画像形成装置内で紙詰まりが発生したことを検知するジャム検知手段と、
前記紙詰まりが発生した場合に、前記紙詰まりが発生したことをユーザに告知する前記第１方向表示画像と、前記紙詰まりが発生した位置をユーザに告知する前記第２方向表示画像とを前記表示器に表示する前記表示器制御手段と、
を備えたことを特徴とする請求項１または２記載の画像形成装置。
【請求項４】
前記画像形成装置の側方上方に傾斜した方向としての前記第２方向と、
前記画像形成装置の通常観察する位置から前記表示器を見たユーザが視認可能な前記第１方向表示画像と、前記画像形成装置の側方上方から前記表示器を見たユーザが視認可能な前記第２方向表示画像とを前記表示する前記表示器制御手段と、
を備えたことを特徴とする請求項１ないし３のいずれか記載の画像形成装置。
【発明の詳細な説明】
【技術分野】
【０００１】
本発明は、プリンタ、複写機、ＦＡＸや複合機等の画像形成装置に関し、特に、画像を記録する用紙を給紙する用紙トレイをユーザが選択するための画像等を表示する表示器を有するユーザインタフェースを備えた画像形成装置に関する。
【背景技術】
【０００２】
従来のプリンタ、複写機等の画像形成装置は、画像記録を行う用紙を給紙する給紙トレイの選択等の各種設定をユーザが行うためのユーザインタフェース（ＵＩ）を備えている。前記ユーザインタフェースは、給紙トレイを選択するための画像や、倍率の設定を行うための画像が表示される表示器を有している。
前記表示器には、画像記録動作であるジョブの実行中にジョブの進捗状況を表示する画像や、画像形成装置内で紙詰まり（ジャム）が発生した場合にジャムの発生場所を示すための画像、ＦＡＸを送受信中に送受信状態を示す画像等も表示される。
【０００３】
前記ジャムが発生した場合にユーザインタフェースの表示器に画像を表示する技術として、下記の特許文献１（特開２０００−１９１１８１号公報）記載の技術が公知である。
（特許文献１（特開２０００−１９１１８１号公報）記載の技術）
特許文献１には、ジャム発生時にジャムが発生した位置をユーザインタフェースの表示器に表示したり、ジャムの履歴の表示を表示器に表示したりする技術が記載されている。そして、ジャムの発生回数を示す画像（特許文献１の図５参照）や発生頻度を示す画像（特許文献１の図８参照）、発生日時を示す画像（特許文献１の図９参照）等が前記表示器に表示され、各画像を変更する際には、ユーザがキー（回数順キー１５や頻度順キー１６等）の入力をして切り替えていた。
【０００４】
【特許文献１】特開２０００−１９１１８１号公報（「００１４」〜「００６０」、図２〜図１２）
【発明の開示】
【発明が解決しようとする課題】
【０００５】
近年、画像形成装置の多機能化に伴い、画像形成装置で並行して複数の作業（プリント作業や、ＦＡＸの送受信、スキャナの読取り画像の保存等）が行われることがあり、ユーザが確認する情報が多くなってきている。前記特許文献１記載の技術を含む従来の画像形成装置では、ユーザインタフェースの表示器に表示可能な情報量には限度がある。したがって、表示されている情報とは異なる情報を表示する場合には、ユーザが表示を切り替える入力を行い、表示を切り替える必要があった。即ち、従来技術では、表示器に表示する画像を切り替えなければ異なる情報をユーザが得ることができず、入力操作を行わずに異なる複数の画像を表示できないという問題があった。
【０００６】
例えば、給紙トレイや倍率の選択を行う選択入力用画像が表示されている時に、表示された選択入力用画像上での操作方法の説明をするためのヘルプ画像を表示したい場合、選択入力画像を表示しつつヘルプ画像で操作方法を参照・確認することができなかった。
また、例えば、ＦＡＸ、スキャナ、プリンタ、複写機等の機能を備えた複合機では、ＦＡＸの送信中にコピー（複写）を実行する場合がある。この時、ＦＡＸの通信状態を確認したい場合には、コピー操作用の画像をＦＡＸ通信状態確認画像に切り替えなければ確認することができず、コピーを実行しつつＦＡＸの通信状態を確認することができなかった。
【０００７】
また、近年、画像形成装置の分野においても、身障者、高齢者、健常者の区別無く、全ての人が使いやすいように画像形成装置を設計すること（ユニバーサルデザイン）が社会的に求められるようになった。
図１１は車いすを使用するユーザがユーザインタフェースを操作する場合の説明図であり、図１１Ａは車いすの前部を画像形成装置に正対させてユーザインタフェースを操作する場合の説明図、図１１Ｂは車いすの側部を画像形成装置に正対させてユーザインタフェースを操作する場合の説明図である。
図１１Ａにおいて、車いすを使用するユーザがユーザインタフェースを操作する場合、車いすの前部を画像形成装置０１に正対させると、ユーザとユーザインタフェース０２との距離が遠いため、ユーザが車いすから乗り出すようにしてユーザインタフェース０２を操作しなければならない。
【０００８】
したがって、通常、車いすを使用するユーザは、図１１Ｂに示すように、車いすの側部を画像形成装置０１に正対させて、車いすに腰掛けた状態でユーザインタフェース０２を使用することが多い。
しかしながら、通常ユーザインタフェース０２の表示画像は、ユーザが画像形成装置０１に正対した状態（図１１Ａ参照）で見ることを前提としている。図１１Ｂに示すように車いすの側部を画像形成装置０１に正対させた場合、ユーザはユーザインタフェース０２の表示部を側方上方から見ることとなるため、表示画像の文字等が横向きに見え、認識しづらい。したがって、従来の画像形成装置０１は、車いすを使用するユーザにとって使いやすい画像形成装置０１とはいえない（ユニバーサルデザインとは言えない）という問題がある。
【０００９】
この問題を解決するために、ユーザインタフェースを画像形成装置に対して回動可能あるいは着脱可能に構成し、ユーザの見る方向に応じてユーザがユーザインタフェースを回動させたり、ユーザインタフェースを取り外して手元で操作することが考えられる。しかしながら、この場合、ユーザインタフェースの構成が複雑化し、部品点数の増加及びコスト上昇になるという問題がある。
【００１０】
前述の問題に鑑み、本発明は、画像形成装置のユーザインタフェースでユーザが確認できる情報量を多くすることを第１の技術的課題とする。
また、本発明は、身障者、高齢者、健常者の区別無く使いやすい画像形成装置を提供することを第２の技術的課題とする。
【課題を解決するための手段】
【００１１】
次に、前記課題を解決した本発明を説明するが、本発明の要素には、後述の実施の形態の具体例（実施例）の要素との対応を容易にするため、実施例の要素の符号をカッコで囲んだものを付記する。また、本発明を後述の実施例の符号と対応させて説明する理由は、本発明の理解を容易にするためであり、本発明の範囲を実施例に限定するためではない。
【００１２】
（本発明）
前記技術的課題を解決するために本発明の画像形成装置（１）は、情報を表示する表示器（２１）を有するユーザインタフェースを備えた画像形成装置（１）において、
前記表示器（２１）をユーザが通常観察する方向を第１方向とし、前記第１方向とは異なる特定の方向を第２方向とした場合に、前記第１方向から前記表示器（２１）を見たユーザが視認可能な第１方向表示画像（３３）と、前記第２方向から前記表示器（２１）を見たユーザが視認可能な第２方向表示画像（３４，３４ａ′）とを、前記表示器（２１）に表示する表示器制御手段（Ｃ３）、
を備えたことを特徴とする。
【００１３】
（本発明の作用）
前記構成要件を備えた本発明の画像形成装置（１）では、前記表示器（２１）をユーザが通常観察する第１方向から前記表示器（２１）を見たユーザが視認可能な第１方向表示画像（３３）が前記表示器（２１）に表示される。また、前記第１方向とは異なる第２方向から前記表示器（２１）を見たユーザが視認可能な第２方向表示画像（３４，３４ａ′）が前記表示器（２１）に表示される。
したがって、ユーザが視点を移動させることにより第１方向画像及び第２方向画像を視認することができ、ユーザが入力操作を行わなくても第１方向表示画像（３３）及び第２方向表示画像（３４，３４ａ′）に表示された情報を確認することができる。この結果、前記第１方向表示画像（３３）と第２方向表示画像（３４，３４ａ′）に異なる情報を表示した場合には、ユーザが確認できる情報量を多くすることができる。
【００１４】
（本発明の形態１）
本発明の形態１の画像形成装置（１）は、前記本発明の画像形成装置（１）において、
前記第１方向表示画像（３３）を表示する第１方向表示部（ＰＬ１）と、前記第２方向表示画像（３４，３４ａ′）を表示する第２方向表示部（ＰＬ２）と、を有する前記表示器（２１）と、
前記第１方向表示画像（３３）を記憶する第１方向画像記憶手段（Ｃ３１Ａ）と、前記第２方向表示画像（３４，３４ａ′）を記憶する第２方向画像記憶手段（Ｃ３１Ｂ）とを有する表示画像記憶手段（Ｃ３１）と、
を備えたことを特徴とする。
【００１５】
（本発明の形態１の作用）
前記本発明の形態１の画像形成装置（１）では、第１方向画像記憶手段（Ｃ３１Ａ）に記憶された第１方向表示画像（３３）が第１方向表示部（ＰＬ１）に表示され、第２方向画像記憶手段（Ｃ３１Ｂ）に記憶された第２方向表示画像（３４，３４ａ′）が第２方向表示部（ＰＬ２）に表示される。したがって、第１方向表示画像（３３）及び第２方向表示画像（３４，３４ａ′）に異なる画像を表示することができ且つ、各画像を別々のタイミングで更新することもできる。
【００１６】
（本発明の形態２）
本発明の形態２の画像形成装置（１）は、前記本発明または前記本発明の形態１の画像形成装置（１）において、
前記第１方向に対して前記画像形成装置（１）の前方上方に傾斜した方向としての前記第２方向と、
前記画像形成装置（１）内で紙詰まりが発生したか否かを判別するジャム検知手段（Ｃ１Ｂ）と、
前記紙詰まりが発生した場合に、前記紙詰まりが発生したことをユーザに告知する前記第１方向表示画像（３３ｄ）と、前記紙詰まりが発生した位置をユーザに告知する前記第２方向表示画像（３４ｄ）とを前記表示器（２１）に表示する前記表示器制御手段（Ｃ３）と、
を備えたことを特徴とする。
【００１７】
（本発明の形態２の作用）
前記本発明の形態２の画像形成装置（１）では、ジャム検知手段（Ｃ１Ｂ）は、前記画像形成装置（１）内で紙詰まり（ジャム）が発生したことを検知する。そして、紙詰まりが発生した場合に、表示器（２１）には、前記紙詰まりが発生したことをユーザに告知する前記第１方向表示画像（３３ｄ）が表示される。また、画像形成装置（１）の前方上方に傾斜した第２方向用の第２方向表示画像（３４ｄ）として、前記紙詰まりが発生した位置をユーザに告知する画像が表示される。
したがって、ユーザは、通常観察する第１方向から表示器（２１）を見て、第１方向表示画像（３３ｄ）によって紙詰まり（ジャム）の発生を認識することができる。そして、紙詰まりを解消するためにユーザが屈んだ状態では、第２方向表示画像（３４ｄ）を視認することができ、紙詰まりが発生した位置を確認することができる。
【００１８】
（本発明の形態３）
本発明の形態３の画像形成装置（１）は、前記本発明または本発明の形態１、２の画像形成装置（１）において、
前記画像形成装置（１）の側方上方に傾斜した方向としての前記第２方向と、
前記画像形成装置（１）の前方から前記表示器（２１）を見たユーザが視認可能な前記第１方向表示画像（３３ａ）と、前記画像形成装置（１）の側方上方から前記表示器（２１）を見たユーザが視認可能な前記第２方向表示画像（３４ａ′）とを前記表示する前記表示器制御手段（Ｃ３）と、
を備えたことを特徴とする。
【００１９】
（本発明の形態３の作用）
前記本発明の形態３の画像形成装置（１）では、ユーザが前記画像形成装置（１）の通常観察する第１方向から前記表示器（２１）を見た場合、前記第１方向表示画像（３３ａ）を視認できる。そして、ユーザが画像形成装置（１）の側方上方に傾斜した前記第２方向から表示器（２１）を見た場合には、第２方向表示画像（３４ａ′）を視認できる。
【００２０】
したがって、前記第１方向表示画像（３３ａ）には、第１方向（通常観察する方向）から見た場合に対応した情報を表示することができ、第２方向表示画像（３４，３４ａ′）には、第２方向（側方上方）から見た場合に対応した情報を表示することができる。したがって、例えば、健常者等が通常観察することが多い第１方向表示画像（３３ａ）には、文字等を第１方向から見た場合に視認しやすいように表示することができる。そして、車いすを使用するユーザが観察することが多い第２方向表示画像（３４ａ′）には、文字を第２方向（側方上方）から見た場合に視認しやすいように表示することができる。この結果、身障者、高齢者、健常者の区別無く使いやすい画像形成装置（１）を提供することができる。
【発明の効果】
【００２１】
前述の本発明は、画像形成装置のユーザインタフェースでユーザが確認できる情報量を多くすることができる。
また、本発明は、身障者、高齢者、健常者の区別無く使いやすい画像形成装置を提供することができる。
【発明を実施するための最良の形態】
【００２２】
次に図面を参照しながら、本発明の実施の形態の具体例（実施例）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
【実施例１】
【００２３】
図１は本発明の実施例１の画像形成装置の斜視説明図である。
図２は実施例１の画像形成装置の断面説明図である。
図１、図２において、画像形成装置としての複合機１（ＦＡＸ、プリンタ、スキャナ及び複写機の機能を備えた画像形成装置）は、プリンタ２と、イメージスキャナ３と自動原稿搬送装置４とを有している。
前記自動原稿搬送装置４は、イメージスキャナ３上面のプラテンガラス６上に支持されている。そして、前記プリンタ２の上面には、上方のイメージスキャナ３との間に排紙トレイＨｔが設けられている。前記プリンタ２の側面には、プリンタ２内部の用紙搬送路（後述するＨ１，Ｈ２）で紙詰まり（ジャム）が発生した場合に、ユーザが用紙を取り除くために開ける共通搬送路開放プレート２ａと、給紙搬送路開放プレート２ｂとが設けられている。前記開放プレート２ａ、２ｂは、下端部が前後方向に延びるヒンジ軸（図示せず）により複合機１の側面に対して回動可能に支持されている。
【００２４】
前記自動原稿搬送装置４は、複写しようとする複数の原稿Ｇが重ねて載置される原稿給紙トレイ４ａを有している。前記原稿給紙トレイ４ａに載置された複数の各原稿Ｇは順次プラテンガラス６上の複写位置を通過して原稿排紙トレイ４ｂに排出されるように構成されている。前記自動原稿搬送装置４は、その後端部（−Ｘ端部）に設けた左右方向（Ｙ軸方向）に延びるヒンジ軸（図示せず）により前記プラテンガラス６上面に対して回動可能であり、原稿Ｇをユーザが手でプラテンガラス６上に置く場合に上方に回動される。
前記イメージスキャナ３は、ユーザがコピースタート等の作動指令信号を入力操作するＵＩ（ユーザインタフェース）を有している。
【００２５】
前記透明なプラテンガラス６の下方には原稿画像を読み取るための露光光学系７が配置されている。
前記自動原稿搬送装置４でプラテンガラス６上面に搬送されて前記複写位置を通過する原稿または手動でプラテンガラス６上に置かれた原稿（図示せず）からの反射光は、前記露光光学系７を介して、ＣＣＤ（固体撮像素子）で電気信号に変換される。
【００２６】
ＩＰＳ（イメージプロセッシングシステム）は、ＣＣＤから入力されるモノクロの電気信号を黒色の画像データ（デジタルデータ）に変換して一時的に記憶し、前記画像データを所定のタイミングで潜像形成用の画像データとしてレーザ駆動回路ＤＬに出力する。
レーザ駆動回路ＤＬは、入力された画像データに応じてレーザ駆動信号をＲＯＳ（潜像形成装置）のレーザダイオード（図示せず）に出力する。なお、前記ＵＩ（ユーザインタフェース）、ＩＰＳおよびレーザ駆動回路ＤＬと、後述の現像器Ｄの現像ロール、転写ロールＴ等にバイアス電圧を印加する電源回路Ｅ等の動作はコントローラＣにより制御される。
【００２７】
画像形成装置１の像担持体（感光体ドラム）Ｐの表面は帯電ロール（チャージロール）ＣＲにより一様に帯電され、ＲＯＳ（潜像書込装置）から出射するレーザビームＬにより静電潜像が書き込まれる。静電潜像は現像器Ｄでトナー像に現像される。前記トナー像は像担持体Ｐの回転に伴い転写ロールＴと対向する転写領域（画像記録領域）Ｑに移動する。
前記コントローラＣにより制御される電源回路Ｅは、現像用のトナーの帯電極性と逆極性の転写電圧を転写ロールＴに印加する。
【００２８】
前記現像器Ｄの下方には、画像が記録される用紙を収容する用紙トレイＹＴ１〜ＹＴ４が配置されている。前記用紙トレイＹＴ１〜ＹＴ４と前記転写領域（画像記録領域）Ｑとの間には給紙搬送路（用紙搬送路）Ｈ１が配置されている。前記給紙搬送路Ｈ１は、前記用紙トレイＹＴ１〜ＹＴ４から取り出された用紙Ｓを複数の搬送ロール（用紙搬送部材）Ｒ１により前記転写領域Ｑに搬送するシート搬送路である。前記用紙トレイＹＴ１〜ＹＴ４に隣接して給紙ロールＲｋが配置されている。用紙トレイＹＴ１〜ＹＴ４に収容された用紙Ｓは、所定のタイミングで給紙ロールＲｋにより取り出され、給紙搬送路Ｈ１に給紙される。
前記用紙トレイＹＴ１〜ＹＴ４、給紙ロールＲｋ等により給紙装置１１が構成されている。
【００２９】
前記転写領域Ｑの用紙搬送方向上流側には、レジストレーションロール（レジロール、用紙搬送部材）Ｒ２が配置されている。前記給紙搬送路Ｈ１を搬送された用紙Ｓは、レジロールＲ２で一旦停止してから所定のタイミングで転写領域Ｑに搬送される。用紙Ｓが転写領域Ｑを通過する際、転写ロールＴにより像担持体Ｐ上のトナー像が用紙Ｓに転写される。前記転写後の像担持体Ｐ表面に残った転写残トナーはクリーナＣＬにより除去される。
前記転写領域Ｑでトナー像が転写された用紙Ｓは、共通用紙搬送路Ｈ２上に配置された定着装置（フューザ）Ｆに搬送され、前記定着装置Ｆを通過する時にトナー像が加熱定着される。
前記像担持体Ｐ、帯電ロールＣＲ、潜像書込装置ＲＯＳ、転写ロールＴ、クリーナＣＬ等により、用紙Ｓに画像を記録する画像記録装置１２が構成されている。また、給紙搬送路Ｈ１及び共通搬送路Ｈ２により標準搬送路が構成されている。
【００３０】
トナー像が定着された用紙Ｓは、排紙ロール（用紙搬送部材）Ｒ３に搬送され、プリンタＰＲの上部に配置された排紙トレイＨｔに排出される。図１からわかるように実施例１の排紙トレイＨｔは、フェイスダウントレイであり、片面印刷時に画像が記録された画像記録面が下面になる状態で排出される。
前記搬送ロールＲ１、レジロールＲ２、排紙ロールＲ３、給紙搬送路Ｈ１、共通搬送路Ｈ２等により用紙搬送装置１３が構成されている。
【００３１】
（ユーザインタフェースの説明）
図３は、コピー動作等が行われていない待機時のユーザインタフェースの説明図であり、図３Ａは表示器上方からユーザが見た場合のユーザインタフェースの説明図、図３Ｂは表示器前方上方（斜め上方）からユーザが見た場合のユーザインタフェースの説明図である。
図３において、複合機１のユーザインタフェースＵＩは、表示器２１、コピースタートキー２２、テンキー２３、コピー、ＦＡＸ、スキャナ等の機能を切り替えるための機能切替キー２４、その他の入力キー等を有している。
【００３２】
図４は、ユーザインタフェースの表示器の説明図であり、図４Ａは表示器の要部拡大斜視説明図、図４Ｂは図４ＡのＩＶＢ−ＩＶＢ線断面図である。
図４において、実施例１の複合機１の表示器２１は、液晶表示パネル３１と、前記液晶表示パネル３１の上方を被覆するように配置されたレンチキュラ板３２とを有している。図４Ｂにおいて、前記液晶表示パネル３１は、光源側偏光板３１ａと、下側ガラス板３１ｂと、透明な共通電極３１ｃと、液晶層３１ｄと、複数の透明な個別電極３１ｅと、上側ガラス板３１ｆと、表示側偏光板３１ｇとが下面側から順に配置された構成となっている。前記液晶表示パネル３１は、各個別電極３１ｅに印加する電圧を制御し、共通電極３１ｃと各個別電極３１ｅとの間の液晶層３１ｄを透過する光の振動方向を制御することによって、図示しない光源（バックライト）から出射され光源側偏光板３１ａの下面から入射する光の透過・遮光を行い、画像を表示する。
【００３３】
図４Ａにおいて、前記個別電極３１ｅによって、表示される画像の最小単位である画素（ピクセル）ＰＬが構成されている。前記画素ＰＬは、ユーザが表示器２１を通常観察する方向である画像形成装置の上方（第１方向）から表示器２１を観察した場合に視認可能な上方表示画像（第１方向表示画像）３３（図３Ａ参照）を表示するための上方用画素（第１方向表示部）ＰＬ１を有している。前記上方用画素ＰＬ１は左右方向（Ｙ方向）に隣接して列状に多数配置されており、列状の複数の上方用画素ＰＬ１によって上方用画素列Ｌ１が構成されている。
また、前記画素ＰＬは、ユーザが屈んだ場合等に表示器２１を観察する方向である複合機１の前方に傾斜した方向（第２方向）から表示器２１を観察した場合に視認可能な前方表示画像（第２方向表示画像）３４（図３Ｂ参照）を表示するための前方用画素（第２方向表示部）ＰＬ２を有している。前記前方用画素ＰＬ２は左右方向に隣接して列状に配置されており、列状の複数の前方用画素ＰＬ２によって前方用画素列Ｌ２が構成されている。
【００３４】
そして、図４Ａに示すように、前記上方用画素列Ｌ１及び前方用画素列Ｌ２は前後方向（Ｘ方向）に交互に配置されている。また、一組の上方用画素ＰＬ１及び前方用画素ＰＬ２を覆うように、左右方向（Ｙ方向）に延びるレンチキュラレンズ３２ａが前後方向に隣接して複数配置されている。前記複数のレンチキュラレンズ３２ａによりレンチキュラ板３２が構成されている。
したがって、図４Ａにおいて、上方用画素ＰＬ１により形成される第１方向表示画像は、レンチキュラレンズ３２ａを透過して上方（第１方向）からユーザが視認することができる。また、前方用画素ＰＬ２により表示される第２方向表示画像はレンチキュラレンズ３２ａにより屈折して前方（第２方向）からユーザが視認することができる。
【００３５】
（複合機１の制御部の説明）
図５は実施例１の複合機の機能をブロック図（機能ブロック図）で示した図である。
図５において、複合機１のコントローラＣは、外部との信号の入出力および入出力信号レベルの調節等を行うＩ／Ｏ（入出力インターフェース）、必要な処理を行うためのプログラムおよびデータ等が記憶されたＲＯＭ（リードオンリーメモリ、記録媒体）、必要なデータを一時的に記憶するためのＲＡＭ（ランダムアクセスメモリ、記録媒体）、ＲＯＭ等に記憶されたプログラムに応じた処理を行うＣＰＵ（中央演算処理装置）等を有するマイクロコンピュータにより構成されており、前記ＲＯＭ等に記憶されたプログラムを実行することにより種々の機能を実現することができる。
【００３６】
前記コントローラＣには、ユーザインタフェースＵＩや、ジャム検出センサＳＮ１、その他の信号入力要素からの信号が入力されている。前記ユーザインタフェースＵＩは、表示器２１、スタートキー２２、テンキー２３、機能切換キー２４等を有しており、ユーザの入力に応じて、コピーや、ＦＡＸの送信、スキャナ３による読取り開始等の各種作業や作業の設定を行うことができる。
前記ジャム検出センサＳＮ１は、用紙搬送路Ｈ１、Ｈ２に複数配置されており（図示省略）、用紙の有無の検出信号を出力する。
【００３７】
前記コントローラＣには、前記画像記録装置駆動回路ＤＣ１や電源回路Ｅ、ＦＡＸ駆動回路ＤＣ２等の被制御要素が接続されている。前記画像記録装置駆動回路ＤＣ１は、画像記録装置１２の像担持体Ｐの駆動や、給紙装置１１や用紙搬送装置１３の各ローラの駆動、定着装置Ｆの回転部材の駆動等を制御して、用紙Ｓに画像を記録する。前記電源回路Ｅは、画像記録装置２の帯電ロールＣＲの帯電電圧や、現像器Ｄの現像電圧、転写ロールの転写電圧、定着装置Ｆのヒータの電流等の供給電圧・供給電流を制御する。ＦＡＸ駆動回路ＤＣ２は、ＦＡＸの作動を制御して、ＦＡＸ画像の送受信を行う。
【００３８】
図５において、前記コントローラＣは、前記画像記録装置駆動回路ＤＣ１を介して画像記録装置１２の制御を行う画像記録制御手段Ｃ１を有している。前記画像記録制御手段Ｃ１は、電源回路制御手段Ｃ１Ａと、ジャム検知手段Ｃ１Ｂと、ジャム解消判別手段Ｃ１Ｃとを有している。前記電源回路制御手段Ｃ１Ａは、前記電源回路Ｅを介して各部材への供給電圧・供給電流の制御を行う。前記ジャム検知手段Ｃ１Ｂは、前記ジャム検知センサＳＮの出力信号に応じて、ジャム（紙詰まり）が発生したか否か及びジャムが発生した場所を検出する。実施例１のジャム検知手段Ｃ１Ｂは、給紙開始後設定された時刻までにジャム検知センサＳＮが用紙有りを検出しなかった場合や用紙有りを検出してから所定時間経過しても用紙なしにならなかった場合に、ジャムが発生したものと判別する。
【００３９】
前記ジャム解消判別手段Ｃ１Ｃは、ユーザが用紙搬送路Ｈ１，Ｈ２から用紙を取り除き、ジャムが解消されたか否かを判別する。実施例１のジャム解消判別手段Ｃ１Ｃは、各開放プレート２ａ、２ｂ等が開放され且つジャム検知センサＳＮが用紙無しを検出した場合にジャムが解消されたと判別する。
また、前記コントローラＣは、ＦＡＸ駆動回路ＤＣ２を介してＦＡＸを制御してＦＡＸ画像の送受信を行うＦＡＸ送受信制御手段Ｃ２を有している。
【００４０】
さらに、コントローラＣは、ユーザインタフェースＵＩの表示器２１の個別電極３１ｅへの電圧印加を制御して画像（上方表示画像３３及び前方表示画像３４）を表示する表示器制御手段Ｃ３を有している。前記表示器制御手段Ｃ３は、表示器２１に表示される画像を記憶する表示画像記憶手段Ｃ３１を有している。前記表示画像記憶手段Ｃ３１は、上方表示画像記憶手段（第１方向画像記憶手段）Ｃ３１Ａと、前方表示画像記憶手段（第２方向画像記憶手段）Ｃ３１Ｂとを有している。前記上方表示画像記憶手段Ｃ３１Ａは、上方から表示器２１を見たユーザが視認可能な上方表示画像３３（図３Ａ参照）を記憶し、前記前方表示画像記憶手段Ｃ３１Ｂは、前方から表示器２１を見たユーザが視認可能な前方表示画像３４（図３Ｂ参照）を記憶する。
【００４１】
図６はＦＡＸ送信時のユーザインタフェースの説明図であり、図６Ａは表示器上方からユーザがみた場合のユーザインタフェースの説明図、図６Ｂは表示器前方上方（斜め上方）からユーザが見た場合のユーザインタフェースの説明図である。
図７はコピー動作（ジョブ）実行中のユーザインタフェースの表示器の説明図であり、図７Ａは表示器上方からユーザがみた場合のユーザインタフェースの説明図、図７Ｂは表示器前方上方からユーザが見た場合のユーザインタフェースの説明図である。
図８はジャム発生時のユーザインタフェースの表示器の説明図であり、図８Ａは表示器上方からユーザがみた場合のユーザインタフェースの説明図、図８Ｂは表示器前方上方からユーザが見た場合のユーザインタフェースの説明図である。
【００４２】
前記上方表示画像記憶手段Ｃ３１Ａは、待機時に表示器２１の上方用画素ＰＬ１により表示される待機時上方表示画像３３ａ（図３Ａ参照）を記憶する待機時上方表示画像記憶手段Ｃ３１Ａ１を有している。また、前記上方表示画像記憶手段Ｃ３１Ａは、ＦＡＸ送受信時に表示器２１の上方用画素ＰＬ１により表示されるＦＡＸ送受信時上方表示画像３３ｂ（図６Ａ参照）を記憶するＦＡＸ送受信時上方表示画像記憶手段Ｃ３１Ａ２を有している。さらに、前記上方表示画像記憶手段Ｃ３１Ａは、コピー動作（ジョブ）実行中に表示器２１の上方用画素ＰＬ１により表示されるジョブ実行中上方表示画像３３ｃ（図７Ａ参照）を記憶するジョブ実行中上方表示画像記憶手段Ｃ３１Ａ３を有している。また、前記上方表示画像記憶手段Ｃ３１Ａは、ジャム発生時に表示器２１の上方用画素ＰＬ１により表示されるジャム時上方表示画像３３ｄ（図８Ａ参照）を記憶するジャム時上方表示画像記憶手段Ｃ３１Ａ４を有している。
【００４３】
一方、前記前方表示画像記憶手段Ｃ３１Ｂは、待機時に表示器２１の前方用画素ＰＬ２により表示される待機時前方表示画像３４ａ（図３Ｂ参照）を記憶する待機時前方表示画像記憶手段Ｃ３１Ｂ１を有している。また、前記前方表示画像記憶手段Ｃ３１Ｂは、ＦＡＸ送受信時に表示器２１の前方用画素ＰＬ２により表示されるＦＡＸ送受信時前方表示画像３４ｂ（図６Ｂ参照）を記憶するＦＡＸ送受信時前方表示画像記憶手段Ｃ３１Ｂ２を有している。さらに、前記前方表示画像記憶手段Ｃ３１Ｂは、コピー動作（ジョブ）実行中に表示器２１の前方用画素ＰＬ２により表示されるジョブ実行中前方表示画像３４ｃ（図７Ｂ参照）を記憶するジョブ実行中前方表示画像記憶手段Ｃ３１Ｂ３を有している。また、前記前方表示画像記憶手段Ｃ３１Ｂは、ジャム発生時に表示器２１の前方用画素ＰＬ２により表示されるジャム時前方表示画像３４ｄ（図８Ｂ参照）を記憶するジャム時前方表示画像記憶手段Ｃ３１Ｂ４を有している。なお、前記ジャム時表示画像記憶手段Ｃ３１Ａ４，Ｃ３１Ｂ４は、ジャムが発生する可能性がある場所全てのパターンの画像を記憶しており、ジャムが発生した場所に応じた画像が表示器２１に表示される。
【００４４】
（フローチャートの説明）
図９は実施例１の画像形成装置の表示器の画像表示のメインフローチャートである。
図９のフローチャートの各ＳＴ（ステップ）の処理は、複合機１のコントローラＣのＲＯＭ等に記憶されたプログラムに従って行われる。また、この処理は複合機１の他の各種処理と並行して実行される。
図９に示すフローチャートは複合機１の電源オンにより開始される。
【００４５】
図９のＳＴ１において、ユーザインタフェースＵＩの表示器２１に待機時表示画像３３ａ，３４ａ（図３参照）を表示する。実施例１の複合機１では、図３に示すように待機時上方表示画像３３ａと、待機時前方表示画像３４ａは同じ情報が表示される。そして、ＳＴ２に移る。
ＳＴ２において、コピースタートキー２２がオンされたか否かを判別する。ノー（Ｎ）の場合はＳＴ３に移り、イエス（Ｙ）の場合はＳＴ８に移る。
ＳＴ３において、ＦＡＸを送信する入力がされたか否かを判別する。即ち、ユーザが機能切換キー２４を押して、複合機１の機能をＦＡＸに切り替えた状態で、スタートボタン２２が入力されたか否かを判別する。イエス（Ｙ）の場合はＳＴ４に移り、ノー（Ｎ）の場合はＳＴ６に移る。
【００４６】
ＳＴ４において、表示器２１にＦＡＸ送受信時表示画像３３ｂ、３４ｂ（図６参照）を表示する。実施例１の複合機１では、ＦＡＸ送信中にコピーができるので、コピーができることをユーザに告知するためにＦＡＸ送受信時上方表示画像３３ｂとして待機時上方表示画像３３ａと同一の画像が表示される。そして、前記ＦＡＸ送受信時前方表示画像３４ｂとして、ＦＡＸの送信先と、全送信原稿枚数（６枚）及び送信完了枚数（１枚）とを示す画像が表示され、送信完了枚数が増える度に画像が更新される。そして、ＳＴ５に移る。
ＳＴ５において、ＦＡＸの送信が終了したか否かを判別する。ノー（Ｎ）の場合はＳＴ４に戻り、イエス（Ｙ）の場合はＳＴ１に戻る。
【００４７】
ＳＴ６において、その他の入力があったか否かを判別する。イエス（Ｙ）の場合はＳＴ７に移り、ノー（Ｎ）の場合はＳＴ２に戻る。
ＳＴ７において、前記ＳＴ６における入力に応じて、待機時表示画像３３ａ，３４ａを更新する。そして、ＳＴ２に戻る。
ＳＴ８において、ジョブ実行中表示画像３３ｃ、３４ｃ（図７参照）を表示器２１に表示する。実施例１の複合機では、ジョブ実行中上方表示画像３３ｃとして、実行中のジョブの進捗状態（どのような設定で何枚印刷したか）を示す画像が表示される。前記ジョブの進捗状態が変更（更新）されると、それに応じてジョブ実行中上方表示画像３３ｃも更新される。また、ジョブ実行中前方表示画像３４ｃとして、実行中のジョブを中断させるための説明表示（ヘルプ表示）の画像が表示される。そして、ＳＴ９に移る。
【００４８】
ＳＴ９において、実行中のジョブが終了したか否かを判別する。ノー（Ｎ）の場合はＳＴ１０に移り、イエス（Ｙ）の場合はＳＴ１に戻る。
ＳＴ１０において、ジャムが発生したか否かを判別する。イエス（Ｙ）の場合はＳＴ１１に移り、ノー（Ｎ）の場合はＳＴ８に戻る。
ＳＴ１１において、ジャムの発生した位置に応じてジャム時表示画像３３ｄ、３４ｄ（図８参照）が表示される。実施例１の複合機１では、前記ジャム時上方表示画像３３ｄとして、ジャムが発生したこと及びジャムが発生した位置をユーザに告知する画像が表示される。また、ジャム時前方表示画像３４ｄとして、ジャムが発生した位置をユーザに告知する画像が表示される。そして、ＳＴ１２に移る。
ＳＴ１２において、ジャムが解消したか否かを判別する。イエス（Ｙ）の場合はＳＴ８に戻り、ノー（Ｎ）の場合はＳＴ１２を繰り返す。
【００４９】
（実施例１の作用）
前記構成を備えた実施例１の複合機（画像形成装置）Ｕでは、ユーザインタフェースＵＩの表示器２１に上方表示画像３３と、前方表示画像３４とが表示される。ＦＡＸ送信中は、ＦＡＸ送受信時上方表示画像３３ｂとしてコピー動作用の画像が表示されると共に、ＦＡＸ送受信時前方表示画像３４ｂとしてＦＡＸの送信状態を示す画像が表示される。したがって、ユーザはキーの入力を行わなくても、視点を変更することにより、コピー動作の設定（使用する用紙や、画像の倍率、ソート（排出トレイＨｔの手前側または奥側に仕分けして排出すること）の有無）と、ＦＡＸの送信状態を確認することができる。即ち、ユーザが認識できる情報量を増やすことができる。
【００５０】
また、実施例１の複合機では、ジョブ実行中は、ジョブ実行中上方表示画像３３ｃとしてジョブの進捗状況を示す画像が表示されると共に、ジョブ実行中前方表示画像３４ｃとしてジョブの中断方法を示す画像（ヘルプ画像）が表示される。したがって、ユーザはキーの入力を行わなくても、視点を変更することにより、ジョブの進捗状況と、ジョブの中断方法を確認することができ、ユーザが認識できる情報量を増やすことができる。なお、前記ジョブ実行中前方表示画像３４ｃとしてヘルプ画像が表示されたが、例えば、ＦＡＸ送信中にジョブが開始された場合には、ヘルプ画像ではなく、ＦＡＸの送信状態を示す画像（即ちＦＡＸ送受信時前方表示画像３３ｃ）を表示するように構成することも可能である。
【００５１】
さらに、実施例１の複合機１では、ジャムが発生した場合には、ジャム時上方表示画像３４ｃとしてジャムが発生したこと及びジャムの発生位置を示す画像が表示されると共に、ジャム時前方表示画像３４ｄとしてジャムが発生した位置のみを示す画像が表示される。前記ジャム時前方表示画像３４ｄには、ジャムが発生した位置のみが表示されるので、ジャム時上方表示画像３４ｃよりも大きく表示され、見易い。したがって、開放プレート２ａ、２ｂを開くためにユーザが屈んだ場合に、ジャムが発生した位置を容易に確認することができ、ユーザが認識できる情報量を増やすことができる。
【００５２】
なお、実施例１の複合機１では、前記待機時表示画像３３ａ、３４ａは同じ情報が表示されたが、例えば、待機時前方表示画像３４ａとして、待機時上方表示画像３３ａに応じたヘルプ画像を表示するように構成することも可能である。また、前記ジャム時上方表示画像３４ｃとしてジャムが発生したことのみを告知する画像を表示するように構成することも可能である。
【実施例２】
【００５３】
図１０は本発明の実施例２の画像形成装置においてコピー動作等が行われていない待機時のユーザインタフェースの説明図であり、図１０Ａは実施例１の図３Ａに対応する図、図１０Ｂは表示器側方上方から表示器を見た場合のユーザインタフェースの説明図である。
なお、この実施例２の説明において、前記実施例１の構成要素に対応する構成要素には同一の符号を付して、その詳細な説明を省略する。
この実施例２は、下記の点で前記実施例１と相違しているが、他の点では前記実施例１と同様に構成されている。
【００５４】
図１０において、実施例２の複合機１のユーザインタフェースＵＩでは、待機時の表示器２１には、表示器２１に待機時上方表示画像３３ａと、複合機１の側方上方（第２方向）から表示器２１を見たユーザが視認可能な待機時側方表示画像（第２方向表示画像）３４ａ′とが表示される。実施例２の待機時側方表示画像３４ａ′では、使用する用紙のサイズや、倍率等の各種設定の文字が側方から見た場合に視認しやすいように配置されている。
【００５５】
（実施例２の作用）
前記構成を備えた実施例２の複合機１では、待機時側方表示画像３４ａ′は、側方から見た場合に対応して文字が側方に沿って配置されている。この結果、ユーザが側方から見た場合に、文字を認識しやすい。特に、車いすを使用するユーザが、車いすの側部を複合機１に正対させた状態（図１１Ｂに示す状態）で表示器２１を見た場合に、文字を視認しやすくなる。この結果、障害者、健常者、高齢者の区別無く、誰もが使いやすい（ユニバーサルデザインに対応した）複合機１を提供することができる。
また、実施例２の複合機１では、ユーザインタフェースＵＩを回動可能に構成したり、ユーザインタフェースＵＩを着脱可能に構成せずに、表示器２１から待機時側方表示画像３４ａ′を表示することにより、文字を視認しやすくできる。したがって、部品点数の増加等を防止でき、コスト上昇を抑えることもできる。
【産業上の利用可能性】
【００５６】
以上、本発明の実施例を詳述したが、本発明は、前記実施例に限定されるものではなく、特許請求の範囲に記載された本発明の要旨の範囲内で、種々の変更を行うことが可能である。
例えば、本発明は、複合機に限定されず、複写機、ＦＡＸ、プリンタ等の画像形成装置に適用可能である。
また、本発明は、電子写真方式の画像形成装置に限定されず、インクジェット記録方式の画像記録装置や、ドットインパクト方式、熱転写方式、その他の画像記録方式の画像形成装置にも適用可能である。
【００５７】
さらに、実施例１と実施例２とを組み合わせて前方表示画像３４と、側方表示画像３４ａ′を同時に表示するように構成することも可能である。
また、前記各実施例では、２つの方向から視認可能な画像３３、３４を例示して説明したが、少なくとも２つの方向から視認可能に構成すればよく、３つ以上の画像を表示するように構成することも可能である。例えば、前方表示画像にプリンタメーカのロゴを表示したり、画像形成装置の故障時の連絡先を表示したりするように構成することも可能である。また、上方表示画像としてコピー動作の画像を表示し、前方表示画像としてスキャナで読み取った画像データの情報を表示し、前方と上方との中間の方向（斜め上方）から見た時に視認可能な画像としてＦＡＸの履歴情報を表示するように構成することも可能である。さらに、ジャム発生時に、前方と上方との中間の方向（斜め上方）から見た時に視認可能な画像としてジャムの履歴を表示するように構成することも可能である。
【００５８】
さらに、前記各実施例では、表示器として、液晶表示パネル３１と、レンチキュラレンズ３２ａを使用したが、複数の方向から視認可能な異なる画像を表示できる任意の表示器を採用可能である。例えば、ホログラフィック素子を使用した表示器や、パララックス方式の表示器を使用可能である（例えば、特開平７−３２２３０５号公報等参照）。
【図面の簡単な説明】
【００５９】
【図１】図１は本発明の実施例１の画像形成装置の斜視説明図である。
【図２】図２は実施例１の画像形成装置の断面説明図である。
【図３】図３は、コピー動作等が行われていない待機時のユーザインタフェースの説明図であり、図３Ａは表示器上方からユーザが見た場合のユーザインタフェースの説明図、図３Ｂは表示器前方上方からユーザを見た場合のユーザインタフェースの説明図である。
【図４】図４は、ユーザインタフェースの表示器の説明図であり、図４Ａは表示器の要部拡大斜視説明図、図４Ｂは図４ＡのＩＶＢ−ＩＶＢ線断面図である。
【図５】図５は実施例１の複合機の機能をブロック図（機能ブロック図）で示した図である。
【図６】図６はＦＡＸ送信時のユーザインタフェースの説明図であり、図６Ａは表示器上方からユーザがみた場合のユーザインタフェースの説明図、図６Ｂは表示器前方上方（斜め上方）からユーザを見た場合のユーザインタフェースの説明図である。
【図７】図７はコピー動作（ジョブ）実行中のユーザインタフェースの表示器の説明図であり、図７Ａは表示器上方からユーザがみた場合のユーザインタフェースの説明図、図７Ｂは表示器前方上方（斜め上方）からユーザが見た場合のユーザインタフェースの説明図である。
【図８】図８はジャム発生時のユーザインタフェースの表示器の説明図であり、図８Ａは表示器上方からユーザがみた場合のユーザインタフェースの説明図、図８Ｂは表示器前方上方（斜め上方）からユーザが見た場合のユーザインタフェースの説明図である。
【図９】図９は実施例１の画像形成装置の表示器の画像表示のメインフローチャートである。
【図１０】図１０は本発明の実施例２の画像形成装置においてコピー動作等が行われていない待機時のユーザインタフェースの説明図であり、図１０Ａは実施例１の図３Ａに対応する図、図１０Ｂは表示器側方上方から表示器を見た場合のユーザインタフェースの説明図である。
【図１１】図１１は車いすを使用するユーザがユーザインタフェースを操作する場合の説明図であり、図１１Ａは車いすの前部を画像形成装置に正対させてユーザインタフェースを操作する場合の説明図、図１１Ｂは車いすの側部を画像形成装置に正対させてユーザインタフェースを操作する場合の説明図である。
【符号の説明】
【００６０】
１…画像形成装置、
２１…表示器、
３３，３３ａ，３３ｄ…第１方向表示画像、
３４，３４ａ′，３４ｄ…第２方向表示画像、
Ｃ１Ｂ…ジャム検知手段、
Ｃ３…表示器制御手段、
Ｃ３１…表示画像記憶手段、
Ｃ３１Ａ…第１方向画像記憶手段、
Ｃ３１Ｂ…第２方向画像記憶手段、
ＰＬ１…第１方向表示部、
ＰＬ２…第２方向表示部。
【図１】
2005161578.tif 000003
【図２】
2005161578.tif 000004
【図３】
2005161578.tif 000005
【図４】
2005161578.tif 000006
【図５】
2005161578.tif 000007
【図６】
2005161578.tif 000008
【図７】
2005161578.tif 000009
【図８】
2005161578.tif 000010
【図９】
2005161578.tif 000011
【図１０】
2005161578.tif 000012
【図１１】
2005161578.tif 000013